(57)【要約】      （修正有）【課題】建設・土木工事現場における残土、ガラ、掃きゴミ、生ゴミ等の出し入れ、運搬が容易で耐久性も向上し得る土木用袋体を提供する。【解決手段】一枚の可撓性シート状部材を折り曲げ、且つ、折り重ねられた箇所の一部を適当な固着手段で固着することによって作製された袋本体２と、袋口を閉塞する口紐３とからなり、袋本体が、正方形の底面部４と、その周囲四辺から立ち上がった側面部５と、相対向する二つの側面部の上辺に連設された紐通し孔６形成用の多重構造の折り返し部7とを備え、折り返し部の下方に連なる側面部には、中心線の左右両側に夫々底面部との折れ曲り線に対して略４５度傾斜した折れ目ｘ、ｙを有する多重構造の側面補強用折り重ね部８ａ、８ｂを設けることによって、自立可能な箱状とされ、一本の口紐が前記紐通し孔に二重ループ状に挿通された土木用袋体とする。【選択図】図１
0003149539.tif 000002
【実用新案登録請求の範囲】
【請求項１】
矩形状をなす一枚の可撓性シート状部材を折り曲げ、且つ、折り重ねられた箇所の一部を適当な固着手段で固着することによって作製された袋本体と、袋口を閉塞する口紐とからなり、前記袋本体が、正方形の底面部と、その周囲四辺から立ち上がった側面部と、当該側面部のうち相対向する二つの側面部の上辺に連設された紐通し孔形成用の多重構造の折り返し部とを備え、当該折り返し部の下方に連なる側面部には、中心線の左右両側に夫々底面部との折れ曲り線に対して略４５度傾斜した折れ目を有する多重構造の側面補強用折り重ね部を設けることによって、自立可能な箱状とされ、前記口紐が前記紐通し孔に挿通されていることを特徴とする土木用袋体。
【請求項２】
矩形状の可撓性シート状部材を、その長辺側の両側縁を中心線と平行に折り曲げた状態で、中心線で半分に折り、中心線と直角な中央線でさらに半分に折り、上側の二枚を開きながら、中心線と中央線の交点を通り且つ中心線及び中央線に対して４５度傾斜した斜めの山折り線で折り曲げ、下側の二枚も同じように折り曲げ、中心線の片側に位置する台形状面部を、当該台形状面部を三等分する位置において中心線と平行な谷折り線と山折り線で折り曲げ、中心線の反対側に位置する台形状面部も、当該台形状面部を三等分する位置において中心線と平行な谷折り線と山折り線で折り曲げて、多重構造の側面補強用折り重ね部を形成し、裏側の二つの台形状面部も同様に折り曲げて、多重構造の側面補強用折り重ね部を形成し、両端側が四枚重ねで中央側が三枚重ねとなった表側の側縁部を互いに平行な谷折り線で複数回折り曲げて、紐通し孔形成用の多重構造の折り返し部を形成し、裏側の側縁部も同様に折り曲げて、紐通し孔形成用の多重構造の折り返し部を形成し、側面補強用折り重ね部を有する側面部同士の間隔を広げて、中央線で内側に二つ折りされていた側面部を展開すると共に、斜めの山折り線で折り曲げられていた底面部を展開し、前記折り返し部の下縁部とその下方に重なる側面部とを適当な固着手段で固着して形成された自立可能な箱状の袋本体と、前記紐通し孔に二重ループ状に挿通された一本の口紐とから構成されていることを特徴とする請求項１に記載の土木用袋体。
【請求項３】
可撓性シート状部材の長辺方向の中央部に短辺と平行な谷折り線と山折り線で折り曲げてなる三重構造の補強リブが形成され、この補強リブ付き可撓性シート状部材により、自立可能な箱状の袋本体が形成されていることを特徴とする請求項１又は２に記載の土木用袋体。
【請求項４】
可撓性シート状部材が経糸と横糸にポリプロピレンを用いた織布であることを特徴とする請求項１〜３の何れかに記載の土木用袋体。
【請求項５】
固着手段が互いに嵌合する雌・雄の嵌合用部材とそれらを可撓性シート状部材に止着するリベット部材とからなるポリプロピレン製のホックであることを特徴とする請求項４に記載の土木用袋体。
【考案の詳細な説明】
【技術分野】
【０００１】
本考案は、主として建設・土木工事現場で用いられる土木用袋体に関する。
【背景技術】
【０００２】
一般に、建設・土木工事現場では、工事中に発生する残土、ガラ、掃きゴミ、生ゴミ等を分別ヤードに設置されたコンテナまで人力で運搬したり、資材や部品の運搬・整理を行う場合、土嚢用の袋が流用されている。これは、建設・土木工事現場においては、工事中の湧き水等に対処するために土嚢を部分的に設置することがあって、土嚢用の袋が準備されていることが多いことに加え、土嚢用の袋が、柔軟・軽量・安価といった特長を有していることによる。
【０００３】
しかし、従来の土嚢用の袋では、空の状態において平面的な形状であり、袋が自立しないため、二人一組で作業するか、或いは、片手で袋口を持って開口状態に維持しながら、他方の手で物を入れる作業をしなければならず、それでいて、袋口を閉じて運搬しないと、中身がこぼれ易いので、運搬の都度、口紐による袋口の開け閉めが必要であり、物の出し入れがしにくいという問題点があった。
【０００４】
また、土嚢用の袋は、ポリプロピレン等の丈夫な材質で作製されているとは言え、ガラ等の運搬に繰り返し使用されると、内容物や他物との擦れによって、側面や底面の縫合部、袋口が破損し易く、運搬用の袋として用いるには耐久性に問題があった。
【０００５】
尚、袋口に下すぼまりの筒状の土嚢製造用器具を挿入して、土嚢用の袋を開口状態に自立させる土嚢製造方法が特許文献１によって提案されている。しかしながら、この土嚢製造用器具は、一定位置における同一作業の繰り返しによって多数の土嚢を迅速に製造する場合に有効であると思われるが、建設・土木工事現場のあちこちで不規則的に発生する残土、ガラ、掃きゴミ、生ゴミ等の運搬にあたっては、器具の持ち歩き、保管が面倒であり、却って邪魔である。
【０００６】
また、特許文献２には、袋体を上下に貫通した筒状体とし、上下に夫々口紐を設ける一方、筒状体の内部を複数に仕切って、ゴミ等を分別して収容できるようにした分別回収簡易袋が提案されている。しかし、空袋は平面的な形状であり、袋が自立しない点や、運搬の都度、口紐による袋口の開け閉めが必要である点では、従来の土嚢用の袋と同様な問題点がある。
【先行技術文献】
【特許文献】
【０００７】
【特許文献１】特開２００６−１２５０３５号公報
【特許文献２】特開２００７−２１０７５３号公報
【考案の概要】
【考案が解決しようとする課題】
【０００８】
本考案は、上記の問題点を踏まえて成されたものであって、その目的とするところは、建設・土木工事現場における残土、ガラ、掃きゴミ、生ゴミ等の出し入れ、運搬が容易で耐久性も向上し得る土木用袋体を提供することにある。
【課題を解決するための手段】
【０００９】
上記の目的を達成するために本考案が講じた技術的手段は、次のとおりである。即ち、
請求項１に記載の考案による土木用袋体は、矩形状をなす一枚の可撓性シート状部材を折り曲げ、且つ、折り重ねられた箇所の一部を適当な固着手段で固着することによって作製された袋本体と、袋口を閉塞する口紐とからなり、前記袋本体が、正方形の底面部と、その周囲四辺から立ち上がった側面部と、当該側面部のうち相対向する二つの側面部の上辺に連設された紐通し孔形成用の多重構造の折り返し部とを備え、当該折り返し部の下方に連なる側面部には、中心線の左右両側に夫々底面部との折れ曲り線に対して略４５度傾斜した折れ目を有する多重構造の側面補強用折り重ね部を設けることによって、自立可能な箱状とされ、前記口紐が前記紐通し孔に挿通されていることを特徴としている。
【００１０】
請求項２に記載の考案は、請求項１に記載の土木用袋体であって、矩形状の可撓性シート状部材を、その長辺側の両側縁を中心線と平行に折り曲げた状態で、中心線で半分に折り、中心線と直角な中央線でさらに半分に折り、上側の二枚を開きながら、中心線と中央線の交点を通り且つ中心線及び中央線に対して４５度傾斜した斜めの山折り線で折り曲げ、下側の二枚も同じように折り曲げ、中心線の片側に位置する台形状面部を、当該台形状面部を三等分する位置において中心線と平行な谷折り線と山折り線で折り曲げ、中心線の反対側に位置する台形状面部も、当該台形状面部を三等分する位置において中心線と平行な谷折り線と山折り線で折り曲げて、多重構造の側面補強用折り重ね部を形成し、裏側の二つの台形状面部も同様に折り曲げて、多重構造の側面補強用折り重ね部を形成し、両端側が四枚重ねで中央側が三枚重ねとなった表側の側縁部を互いに平行な谷折り線で複数回折り曲げて、紐通し孔形成用の多重構造の折り返し部を形成し、裏側の側縁部も同様に折り曲げて、紐通し孔形成用の多重構造の折り返し部を形成し、側面補強用折り重ね部を有する側面部同士の間隔を広げて、中央線で内側に二つ折りされていた側面部を展開すると共に、斜めの山折り線で折り曲げられていた底面部を展開し、前記折り返し部の下縁部とその下方に重なる側面部とを適当な固着手段で固着して形成された自立可能な箱状の袋本体と、前記紐通し孔に二重ループ状に挿通された一本の口紐とから構成されていることを特徴としている。
【００１１】
請求項３に記載の考案は、請求項１又は２に記載の土木用袋体であって、可撓性シート状部材の長辺方向の中央部に短辺と平行な谷折り線と山折り線で折り曲げてなる三重構造の補強リブが形成され、この補強リブ付き可撓性シート状部材により、自立可能な箱状の袋本体が形成されていることを特徴としている。
【００１２】
請求項４に記載の考案は、請求項１〜３の何れかに記載の土木用袋体であって、可撓性シート状部材が経糸と横糸にポリプロピレンを用いた織布であることを特徴としている。
【００１３】
請求項５に記載の考案は、請求項４に記載の土木用袋体であって、固着手段が互いに嵌合する雌・雄の嵌合用部材とそれらを可撓性シート状部材に止着するリベット部材とからなるポリプロピレン製のホックであることを特徴としている。
【考案の効果】
【００１４】
請求項１に記載の考案によれば、正方形の底面部の周囲四辺から立ち上がった側面部のうち、相対向する二つの側面部には、中心線の左右両側に夫々底面部との折れ曲り線に対して略４５度傾斜した折れ目を有する多重構造の側面補強用折り重ね部を設けることによって、自立可能な箱状としたので、可撓性シート状部材によって作製された柔軟な袋本体であるにもかかわらず側面補強用折り重ね部が骨組みとなって空の袋本体が大きく開口した状態に自立することになる。
【００１５】
従って、片手で袋口を持って開口状態に維持しながら、他方の手で物を入れるといった面倒さを解消でき、物の袋を開口状態に自立させる専用の器具も不要となる。また、袋本体を開口状態に自立させるための両側面部の骨組みとなる側面補強用折り重ね部の上方に
は、紐通し孔形成用の多重構造の折り返し部が設けられ、紐通し孔に口紐が挿通されているので、収容物の運搬に際して、袋口を縛らなくても、紐通し孔の両端から露出している左右の口紐部分を併せ持って運搬することができ、袋口を開閉する手間がかからない。
【００１６】
これらの結果として、建設・土木工事現場で発生する残土、ガラ、掃きゴミ、生ゴミ等を分別ヤードに設置されたコンテナまで人力で運搬したり、資材や部品の運搬・整理を行う場合、物の出し入れ、運搬を容易に行えることになる。勿論、袋体に土砂を入れ、口紐を結んで土嚢を作製し、地表に敷き並べて、工事中の湧き水等を排水路に案内するための土嚢袋としても使用可能である。
【００１７】
また、ガラ等を入れ、口紐を持って運搬する際、力の集中する箇所である袋口の紐通し孔が多重構造の折り返し部によって形成されているばかりでなく、底面部と周囲四辺から立ち上がる側面部が一枚の可撓性シート状部材の折り曲げによって形成されており、底面部周囲に縫合部が存在しないので、収容物や他物との擦れによる破損を防止でき、耐久性を向上し得る。
【００１８】
しかも、袋本体を自立可能な箱状とするために複数枚の生地を縫い合わせたり、針金等の芯材を用いたりせずに、一枚の可撓性シート状部材を折り畳んで作製するので、簡易かつ安価に製作できる効果がある。
【００１９】
請求項２に記載の考案によれば、上述した効果に加えて、次の効果がある。即ち、側面補強用折り重ね部を有する両側面部の上方に形成された多重構造の折り返し部からなる紐通し孔に一本の口紐が二重ループ状に挿通されているので、両側の紐通し孔の両端から露出している左右の口紐部分を、一本ずつ左右に引っ張るだけで、口紐の一方のループが絞られ、袋口を閉じることができる。また、左右の口紐部分を二本ずつ併せ持つことで、袋口を閉じずに運搬できる。この場合、一本の口紐を４本束ねて握ることになるので、残土やガラ等の重量物を運搬する際、口紐が手に食い込んで痛くなるといった不都合を回避できる。
【００２０】
請求項３に記載の考案によれば、可撓性シート状部材の長辺方向の中央部に短辺と平行な谷折り線と山折り線で折り曲げてなる三重構造の補強リブを形成し、この補強リブ付き可撓性シート状部材により、請求項２に記載の考案に係る自立可能な箱状の袋本体を形成するので、側面補強用折り重ね部が設けられていない両側面部と底面部とにわたってそれらの中央部に三重構造の補強リブが形成されることになり、袋本体の耐荷重性を高めることができる。
【００２１】
請求項４に記載の考案によれば、可撓性シート状部材が経糸と横糸にポリプロピレンを用いた織布であるから、袋本体に耐腐蝕性と通気性・透水性がある。従って、大きく開口した状態で自立する特長を活かして、例えば、建設・土木工事現場で発生する生活ゴミの大半を占めている生ゴミを米ぬか等と一緒に収容して堆肥を生産し、これを工事現場周辺の緑化、野菜作り等に役立てることもできる。
【００２２】
請求項５に記載の考案によれば、可撓性シート状部材を折り重ねた箇所の固着手段として、雌・雄の嵌合用部材とそれらを可撓性シート状部材に止着するリベット部材とからなるホックを用いたので、糸による縫合よりも固着作業が楽であり、袋本体を容易かつ迅速に作製できる。また、袋口の両側に、リベット部材と雄の嵌合用部材とから成る雄スナップと、リベット部材と雌の嵌合用部材とから成る雌スナップを、相対向して配置することにより、袋口をスナップ作用によって開閉でき、口紐を縛らずに袋口を閉じることが可能である。
【００２３】
殊に、ホックを、袋本体の材料であるポリプロピレンの織布と同じポリプロピレン製としたので、リサイクルの際、ホックを取り外して分別する必要がなく、リサイクルが容易である。
【図面の簡単な説明】
【００２４】
【図１】本考案に係る土木用袋体の一部切欠き斜視図である。
【図２】袋本体を折り曲げ形成する可撓性シート状部材の平面図である。
【図３】袋本体の作製手順の説明図である。
【図４】図３に続く作製手順の説明図である。
【図５】図４に続く作製手順の説明図である。
【図６】図５に続く作製手順の説明図である。
【図７】図６に続く作製手順の説明図である。
【図８】土木用袋体の使用状態を例示する斜視図である。
【図９】土木用袋体を内外反転した状態の斜視図である。
【図１０】口紐の代わりに、プラスチック製の持ち手を袋本体に取り付けた状態の斜視図である。
【図１１】本考案の他の実施形態を示す土木用袋体の斜視図である。
【図１２】袋本体を折り曲げ形成する可撓性シート状部材の平面図である。
【図１３】袋本体の作製手順の説明図である。
【図１４】図１３に続く作製手順の説明図である。
【図１５】本考案の他の実施形態を示す土木用袋体の斜視図である。
【図１６】要部の縦断側面図である。
【考案を実施するための形態】
【００２５】
以下、本考案の実施形態を図面に基づいて説明する。図１は、本考案に係る土木用袋体の一例を示す。この土木用袋体は、矩形状をなす一枚の可撓性シート状部材（図２参照）１を折り曲げ、且つ、折り重ねられた箇所の一部を適当な固着手段で固着することによって作製された袋本体２と、袋口を閉塞する口紐３とからなる。可撓性シート状部材１としては、防水紙、合成樹脂フィルム、天然繊維や人造繊維の織布等であってもよいが、この実施形態においては、可撓性シート状部材１として、経糸と横糸にポリプロピレン製フラットヤーンを用いた平織状の織布が用いられている。口紐３としては、種々の材質のものを適宜選択して使用できるが、この実施形態においては、ポリプロピレン製のロープが用いられている。
【００２６】
袋本体２は、正方形の底面部４と、その周囲四辺から立ち上がった四つの側面部５と、当該側面部５のうち相対向する二つの側面部５の上辺に連設された紐通し孔６形成用の多重構造の折り返し部７とを備えている。これらの折り返し部７の下方に連なる側面部５には、中心線（後述する）の左右両側に夫々底面部４との折れ曲り線に対して略４５度傾斜した折れ目ｘ、ｙを有する多重構造の側面補強用折り重ね部８ａ、８ｂが設けられており、これらの側面補強用折り重ね部８ａ、８ｂが骨組みとなることによって、可撓性シート状部材１で作製された柔軟な袋本体２であるにもかかわらず空袋が自立可能な箱状となるように構成されている。
【００２７】
尚、ここで折れ目ｘ、ｙの傾斜を、４５度でなく、略４５度としたのは、ポリプロピレン製フラットヤーンを用いた織布のような可撓性シート状部材１を折り曲げて袋本体２を作製するので、可能であれば、正確に４５度にしてもよいが、ある程度の誤差を含んでもよいという意味である。
【００２８】
口紐３は、紐通し孔６に二重ループ状に挿通されており、両側の紐通し孔６の両端から露出している左右の口紐部分を、一本ずつ左右に引っ張るだけで、口紐３の一方のループ
が絞られ、袋口を閉じることができ、左右の口紐部分を二本ずつ併せ持つことで、換言すれば、一本の口紐を４本束ねて握ることで、袋口を閉じずに運搬することもできる。
【００２９】
袋本体２のサイズは、任意に設定できるが、人力で運搬する重量を考え合わせると、縦Ａ、横Ｂ、高さＣを、夫々、３０〜４５ｃｍ、折り返し部７上端までの高さＤを３８〜５５ｃｍに設定するのが実用的である。
【００３０】
上記の土木用袋体は、具体的には、次のようにして作製される。先ず、図２に示すように、裁断等により所定寸法の矩形状をなす一枚の可撓性シート状部材１を作製する。図中の一点鎖線は山折り線を示し、破線は谷折り線を示す。これらの山折り線や谷折り線は、可撓性シート状部材１に実際に記されている訳ではないが、印刷等の手段により可撓性シート状部材１に印を付けて実施しても構わない。山折り線や谷折り線のうち、図２に示すａは可撓性シート状部材１の長手方向と平行な中心線、ｂはそれと直角な中央線である。ｃ、ｄ、ｅ、ｆは中心線ａと中央線ｂの交点を通り且つ中心線ａ及び中央線ｂに対して４５度傾斜した斜めの山折り線である。Ｐ１、Ｐ２、Ｐ３、Ｐ４で囲まれた領域は、正方形の底面部４となる領域であり、Ｐ１、Ｐ２間の距離が図１で示した縦Ａの寸法、Ｐ２、Ｐ３間の距離が図１で示した横Ｂの寸法となる。また、図２に示したＰ１、Ｐ５間の距離が図１で示した高さＣの寸法となり、Ｐ１、Ｐ６間の距離が図１で示した高さＤの寸法となる。
【００３１】
上記の可撓性シート状部材１を用意したら、図３の（Ａ）、（Ｂ）に示すように、可撓性シート状部材１の長辺側の両側縁１ａを前記中心線ａと平行に山折り線で折り曲げる。
【００３２】
しかる後、図４の（Ａ）に示すように、前記中心線ａで半分に折り、図４の（Ｂ）に示すように、中心線ａと直角な前記中央線ｂでさらにもう一度半分に折る。
【００３３】
次に、図４の（Ｃ）に示すように、上側の二枚を開きながら、中心線ａと中央線ｂの交点を通り且つ中心線ａ及び中央線ｂに対して４５度傾斜した斜めの山折り線ｃ、ｄで折り曲げる。
【００３４】
全体を裏返して、図５の（Ａ）に示すように、下側の二枚も同じように折り曲げ、図５の（Ｂ）に示すように、中心線ａの片側に位置する台形状面部を、当該台形状面部を三等分する位置において中心線ａと平行な谷折り線ｇと山折り線ｈで折り曲げ、図５の（Ｃ）に示すように、中心線ａの反対側に位置する台形状面部も、当該台形状面部を三等分する位置において中心線ａと平行な谷折り線ｇと山折り線ｈで折り曲げて、前述した多重構造の側面補強用折り重ね部８ａ、８ｂを形成する。
【００３５】
全体を裏返して、図６の（Ａ）に示すように、裏側の二つの台形状面部も同様に折り曲げて、多重構造の側面補強用折り重ね部８ａ、８ｂを形成する。
【００３６】
しかる後、図６の（Ｂ）に示すように、両端側が四枚重ねで中央側が三枚重ねとなった表側の側縁部を互いに平行な折り線ｉで複数回（図示の例では２回）外側に折り曲げて、前述した紐通し孔６を形成する多重構造の折り返し部７を形成し、図６の（Ｃ）に示すように、裏側の側縁部も同様に折り曲げて、紐通し孔６形成用の多重構造の折り返し部７を形成する。
【００３７】
そして、図７の（Ａ）に示すように、側面補強用折り重ね部８ａ、８ｂを有する側面部５同士の間隔を広げて、中央線ｂで内側に二つ折りされていた側面部５を展開すると共に、斜めの山折り線ｃ、ｄ、ｅ、ｆで折り曲げられていた底面部４を展開し、前記折り返し部７の下縁部とその下方に重なる側面部５とを適当な固着手段で固着（図示の例では、ポ
リプロピレンの糸９で縫着）して、自立可能な箱状の袋本体２を形成し、図７の（Ｂ）に示すように、前記紐通し孔６に一本の口紐３を二重ループ状に挿通して、土木用袋体を作製するのである。１０は可撓性シート状部材１の長辺側の両側縁１ａによって側面部５の上端部内面に形成された補強用縁部である。
【００３８】
尚、可撓性シート状部材１の折り曲げ作業と、折り重ね部の固着作業（縫着作業）とは分離して行うことが生産能率上、望ましいが、これに限定されない。例えば、予め口紐３を巻き込んだ状態に折り返し部７を形成し、この時点で、折り返し部７下縁部の縫着を行ってもよい。また、可撓性シート状部材１の長辺側の両側縁１ａは、折り曲げただけでもよく、前記中心線ａと平行に山折り線で折り曲げた時点で、ポリプロピレンの糸で縫着してもよい。図示しないが、可撓性シート状部材１の長辺側の両側縁１ａを谷折りして実施すれば、前記補強用縁部１０を側面部５の上端部外面に形成することができる。
【００３９】
上記の構成によれば、正方形の底面部４の周囲四辺から立ち上がった側面部５のうち、相対向する二つの側面部５には、中心線ａの左右両側に夫々底面部４との折れ曲り線に対して略４５度傾斜した折れ目ｘ、ｙを有する多重構造の側面補強用折り重ね部８ａ、８ｂを設けることによって、自立可能な箱状としたので、可撓性シート状部材１によって作製された柔軟な袋本体２であるにもかかわらず側面補強用折り重ね部８ａ、８ｂが骨組みとなって空の袋本体２が大きく開口した状態に自立することになる。
【００４０】
従って、片手で袋口を持って開口状態に維持しながら、他方の手で物を入れるといった面倒さを解消でき、袋を開口状態に自立させる専用の器具も不要となる。また、袋本体２を開口状態に自立させるための両側面部５の骨組みとなる側面補強用折り重ね部８ａ、８ｂの上方には、紐通し孔６を形成するための多重構造の折り返し部7が設けられ、紐通し
孔６に口紐３が挿通されているので、収容物の運搬に際して、袋口を縛らなくても、紐通し孔６の両端から露出している左右の口紐部分を併せ持って運搬することができ、袋口を開閉する手間がかからない。
【００４１】
これらの結果として、例えば、図８の（Ａ）に示すように、建設・土木工事現場で発生する残土、ガラ１１等を分別ヤードに設置されたコンテナまで人力で運搬したり、資材や部品の運搬・整理を行う場合、物の出し入れ、運搬を容易に行えることになる。勿論、図８の（Ｃ）に示すように、袋体に土砂を入れ、口紐３を結んで土嚢を作製し、地表に敷き並べて、工事中の湧き水等を排水路に案内するための土嚢袋としても使用可能である。
【００４２】
また、ガラ１１等を入れ、口紐３を持って運搬する際、力の集中する箇所である袋口の紐通し孔６が多重構造の折り返し部７によって形成されており、しかも、底面部４と周囲四辺から立ち上がる側面部５が一枚の可撓性シート状部材１の折り曲げによって形成されており、底面部４周囲に縫合部が存在しないので、収容物や他物との擦れによる破損を防止でき、耐久性を向上し得る。
【００４３】
可撓性シート状部材１が、経糸と横糸にポリプロピレン製フラットヤーンを用いた平織状の織布であるから、袋本体２に耐腐蝕性と通気性・透水性があり、大きく開口した状態で自立する特長を活かして、例えば、図８の（Ｂ）に示すように、建設・土木工事現場で発生する生活ゴミの大半を占めている生ゴミを米ぬか等と一緒に収容して堆肥１２を生産し、これを工事現場周辺の緑化、野菜作り等に役立てることもできる。
【００４４】
また、上記の構成よりなる土木用袋体は、図９に示すように、内外を反転して、外面の平坦な、つまり、引っ掛かり部（側面補強用折り重ね部８ａ、８ｂ）のない土木用袋体として使用することができる。この場合、可撓性シート状部材１の長辺側の両側縁１ａを谷折りして実施すれば、内外を反転することにより、前記補強用縁部１０も袋の内面側に位
置することになる。尚、口紐３の代わりに、図１０に示すように、プラスチック製の持ち手１３を袋本体２の折り返し部７に取り付けて実施することも可能である。この場合、持ち手１３の基部をリベット状のカシメ方式や雄雌の嵌合方式とすることで、折り返し部７の縫着を省略できる。
【００４５】
図１１は、本考案の他の実施形態を示す。この実施形態は、図１２〜図１４に示すように、可撓性シート状部材１の長辺方向の中央部に短辺と平行な谷折り線ｊと山折り線ｋで折り曲げてなる三重構造の補強リブ１４を形成し、この補強リブ１４付き可撓性シート状部材１により、自立可能な箱状の袋本体２を形成した点に特徴がある。
【００４６】
この実施形態による土木用袋体では、図１３の（Ａ）、（Ｂ）と、図１４の（Ａ）に示すように、先ず、中央近辺の谷折り線ｊと山折り線ｋで可撓性シート状部材１を折り曲げて、三重構造の補強リブ１４を形成する。補強リブ１４の上を糸で縫う等して固着し、補強リブ１４が開かないようにすることが望ましい。この状態では、補強リブ１４付き可撓性シート状部材１となり、中央部に補強リブ１４が存在する以外の構成は、先の実施形態における図２で示した可撓性シート状部材１と同一となる。
【００４７】
従って、この補強リブ１４付き可撓性シート状部材１における長辺側の両側縁１ａを、図１４の（Ｂ）に示すように、山折りし、以下、図４〜図７と同じ手順で、補強リブ１４付きの土木用袋体が作製されることになる。
【００４８】
この実施形態によれば、側面補強用折り重ね部８ａ、８ｂが設けられていない両側面部５と底面部４とにわたってそれらの中央部に三重構造の補強リブ１４が形成されることになり、袋本体２の耐荷重性を高めることができる。その他の構成、作用は、図１〜図１０の実施形態と同じであるため、説明を省略する。
【００４９】
上述した何れの実施形態においても、上記の土木用袋体は、袋本体２を自立可能な箱状とするために複数枚の生地を縫い合わせたり、針金等の芯材を用いたりせずに、一枚の可撓性シート状部材１を折り畳んで作製するので、簡易かつ安価に製作できるのであるが、次の実施形態とすることにより、糸による縫合作業を省略して、袋本体２を一層容易かつ迅速に作製できる。
【００５０】
即ち、この実施形態では、折り返し部７の下辺部の固着手段として、図１５、図１６に示すように、互いに弾性嵌合し得る雌・雄の嵌合用部材１５ａ、１５ｂとそれらを可撓性シート状部材１に止着するリベット部材１６ａ、１６ｂの四部品からなり、リベット部材１６ａ、１６ｂの先鋭な突起を可撓性シート状部材１に刺し通して、嵌合用部材１５ａ、１５ｂの中央孔に挿入し、その突出先端を打撃により常温下で拡径変形させてカシメ止めを行うようにしたポリプロピレン製のホックを採用し、折り返し部７下辺部の縫合作業を省略している。
【００５１】
この場合、袋口の両側に、リベット部材１６ａと雌の嵌合用部材１５ａとから成る雌スナップ１７と、リベット部材１６ｂと雄の嵌合用部材１５ｂとから成る雄スナップ１８を、相対向して配置することにより、袋口をスナップ作用によって開閉でき、口紐３を縛らずに袋口を閉じることができる。また、ホックを、袋本体２の材料であるポリプロピレンの織布と同じポリプロピレン製としたので、リサイクルの際、ホックを取り外して分別する必要がなく、リサイクルが容易である。その他の構成、作用は、図１〜図１１の実施形態と同じであるため、説明を省略する。
【００５２】
以上、本考案の幾つかの実施形態について説明したが、本考案は上述した実施形態にのみ限定されるべきものではない。例えば、上述した実施形態では、固着手段として、糸に
よる縫着やホックを採用したが、ハトメを用いてもよく、これらに代えて、或いは、これらと組み合わせて、接着剤を使用してもよい。
【産業上の利用可能性】
【００５３】
スーパーマーケット、コンビニエンスストア等で大量に使用・消費され、近時、化石燃料の節約、環境等の観点から問題となっているレジ袋に代わる買い物用袋としても利用できる。また、可撓性シート状部材として、経糸と横糸にポリプロピレン製フラットヤーンを用いた平織状の織布等を用いれば、袋本体に耐腐蝕性と通気性・透水性があるので、植木鉢の代用品となる。
【符号の説明】
【００５４】
ａ  中心線
ｂ  中央線
ｃ、ｄ、ｅ、ｆ  斜めの山折り線
ｇ、ｊ  谷折り線
ｈ、ｋ  山折り線
ｘ、ｙ  折れ目
１  可撓性シート状部材
１ａ  側縁
２  袋本体
３  口紐
４  底面部
５  側面部
６  紐通し孔
７  折り返し部
８ａ、８ｂ  側面補強用折り重ね部
９  糸
１０  補強用縁部
１１  ガラ
１２  堆肥
１３  持ち手
１４  補強リブ
１５ａ、１５ｂ  嵌合用部材
１６ａ、１６ｂ  リベット部材
１７  雌スナップ
１８  雄スナップ
【図１】
0003149539.tif 000003
【図２】
0003149539.tif 000004
【図３】
0003149539.tif 000005
【図４】
0003149539.tif 000006
【図５】
0003149539.tif 000007
【図６】
0003149539.tif 000008
【図７】
0003149539.tif 000009
【図８】
0003149539.tif 000010
【図９】
0003149539.tif 000011
【図１０】
0003149539.tif 000012
【図１１】
0003149539.tif 000013
【図１２】
0003149539.tif 000014
【図１３】
0003149539.tif 000015
【図１４】
0003149539.tif 000016
【図１５】
0003149539.tif 000017
【図１６】
0003149539.tif 000018